(57)【特許請求の範囲】
【請求項１】
インペラ式の脱ぷ装置（１）と、脱ぷ装置（１）で脱ぷされた穀粒を風選する風選室（２）を備える風選装置（３）と、風選室（２）底部の流穀板（２１）を流下する穀粒を受けて揚穀しながら粒径選別して仕上玄米を取り出す選別部（８）を設け、該選別部（８）は回転外周面に揚穀ラセン（４）を有して縦軸周りに回転する揚穀胴（５）と、揚穀胴（５）の外周部を覆い多数の選別孔を形成する選別網筒（６）とを備え、
風選室（２）と選別部（８）との接合部には、選別部（８）内から風選室（２）へ通風する吸気口（１２）を形成したことを特徴とする籾摺機。
【発明の詳細な説明】
【技術分野】
【０００１】
インペラ式の脱ぷ形態の脱ぷ装置を用いた籾摺機に関する。
【背景技術】
【０００２】
ゴムロールによる摩擦脱ぷ形態の脱ぷ装置と、揺動選別盤による摺出米選別装置、及び縦形回転選別筒による玄米選別装置等を組合せて構成した籾摺機が知られている（例えば、特許文献１参照）。
【先行技術文献】
【特許文献】
【０００３】
【特許文献１】特開平５ー７８４３号公報（第２頁、図１）。
【発明の概要】
【発明が解決しようとする課題】
【０００４】
この発明は、小形、簡易で、安価な籾摺機を構成するものである。前記特許文献のように、従来の籾摺機は、脱ぷ能力の大きいロール形態として、多段の揺動選別盤や多段の万石選別網等を用いて、振動、騒音が大きく、大型構成として、据付け場所が制限され易いものであった。
【課題を解決するための手段】
【０００５】
請求項１に記載の発明は、インペラ式の脱ぷ装置（１）と、脱ぷ装置（１）で脱ぷされた穀粒を風選する風選室（２）を備える風選装置（３）と、風選室（２）底部の流穀板（２１）を流下する穀粒を受けて揚穀しながら粒径選別して仕上玄米を取り出す選別部（８）を設け、該選別部（８）は回転外周面に揚穀ラセン（４）を有して縦軸周りに回転する揚穀胴（５）と、揚穀胴（５）の外周部を覆い多数の選別孔を形成する選別網筒（６）とを備え、風選室（２）と選別部（８）との接合部には、選別部（８）内から風選室（２）へ通風する吸気口（１２）を形成したことを特徴とする籾摺機とする。
【０００６】
脱ぷ装置で脱ぷされた穀粒は風選室２へ移送されて選別風を受けて風選される。この風選室２で籾殻や塵埃等を吸引除去されて流穀板２１に受けられた穀粒（籾と玄米の混合米）が、前側の選別部８の底部へ流入し、この選別部８内の揚穀胴５の回転によって、揚穀ラセン４により揚穀されながら、選別網筒６による粒径選別作用を受ける。揚穀行程中に屑米が選別された後に玄米が選別される。
【０００７】
【０００８】
【０００９】
【００１０】
【００１１】
【００１２】
選別部８内部には、吸気口１２を通して風選室２内の吸引風圧が働いているため、この吸引風によって選別部８内の塵埃が風選室２に吸引される。
【００１３】
【発明の効果】
【００１４】
請求項１に記載の発明は、インペラ式の脱ぷ装置１と、風選室２と、粒径選別する選別部８により、仕上玄米を取り出すことができ、従来の籾と玄米を選別する揺動選別装置や、穀粒を揚穀するため専用の昇降機を必要とせず、少ない構成要素で仕上玄米を取り出せるコンパクトな籾摺機とすることができる。
【００１５】
【００１６】
【００１７】
また、風選室２と、この風選室２の前側に連設する選別部８との間を吸気口１２で連通して、この選別部８内部を風選室２内に連通させて、吸引風を流すものであるから、構成を簡単にして、風選室２における吸引風圧を利用して選別部８内部の吸引塵作用を容易に行わせることができる。
【００１８】
【図面の簡単な説明】
【００１９】
【図１】正面から見た籾摺機を説明する図。
【図２】側面から見た籾摺機の装置各部のレイアウトを説明する図。
【図３】平面から見た籾摺機の装置各部のレイアウトを説明する図。
【図４】正面から見た籾摺機の内部を説明する図。
【図５】籾摺操作制御部のブロック図。
【図６】脱ぷ装置を説明する図  （ａ）脱ぷ装置の外観図、（ｂ）脱ぷ装置の内部を説明する図、（ｃ）投穀ロータ
【発明を実施するための形態】
【００２０】
図面に基づいて、籾摺機は、箱形の風選装置３の上側に、籾漏斗１５、及び戻し漏斗１０を設け、風選装置３の前側に脱ぷ装置１を装着している。風選装置３の一側に選別部８、及び計量台１１などを配置する。風選装置３の他側に吸引排塵ファン３３の排塵筒１６を設けて機体側方へ排塵する形態としている。風選装置３は、吸引排塵ファン３３を前後方向のファン軸１７周りに回転するように軸装し、このファンケース１８の吸気口１９を風選室２の風選終端部に連通して、風選室２内に吸引風を選別部８側から排塵筒１６側へ流すように構成している。そして、ファンケース１８の吐出口２０を上方に突出する排塵筒１６に連通している。
【００２１】
風選装置３の風選室２の底部には選別部８側に向かって下り傾斜の流穀板２１を備えて、下端の流下口２２を、選別部８の下端部に構成される揚穀ラセン４の揚穀室２３にのぞませる。又、風選室２の上部には、脱ぷ装置１から脱ぷ放出される摺出米を受けて反射拡散させる反射板２４を設け、この反射板２４の上方に、前記摺出米を放出案内する放出路２５の放出口２６を設ける。
【００２２】
脱ぷ装置１は、いわゆるインペラ式と呼ばれる形態のもので、ロータ軸２８周りに回転する投穀ロータ２７と、この投穀ロータ２７の回転外周部に形成される板状の衝撃盤２９とを、ロータケース３０に収容させた形態で、風選室２の前側部に配置し、このロータ軸２８をファン軸１７と同軸として、電動モータＭ１によって高速駆動回転する構成である。
【００２３】
投穀ロータ２７は供給筒３４による案内によって前記籾漏斗１５から投穀ロータ２７の回転中心部へ供給される籾を、投穀ロータ２７の回転によって跳ね上げながら衝撃盤２９へ衝突させて脱ぷする形態である。又、投穀ロータ２７の回転によって、脱ぷされた摺出米をロータケース３０から前記放出路２５へ案内させて風選室２へ投込搬送するものである。
【００２４】
脱ぷ装置１の上側部に配置の籾漏斗１５は、風選装置３の上側へ広く張り出して籾供給を受け易く形成している。籾漏斗１５に隣接して戻し漏斗１０を形成して、前記選別部８の上端口９をのぞませている。籾漏斗１５下端部の漏斗口３１に開口度を調節、乃至開閉する籾供給シャッタ３２を設けて、籾供給シャッタ３２をモータＭ３による開閉によって籾供給の開始や停止を行なうことができ、又、開口度を調節することによって籾供給量の調節を行なうことができる構成である。
【００２５】
選別部８は、風選装置３を構成する機枠の側方の前後中央部に一体的に支持して取付ける構成で、選別部８は、縦軸芯に回転する揚穀軸３５と一体的に回転する揚穀胴５と、揚穀胴５の外周を覆い選別する穀粒を粒径選別するための多数の選別孔を形成する網目状の選別網筒６、及び選別網筒６の外周を覆う外筒７等から構成される。
【００２６】
揚穀胴５は回転周面に沿って揚穀ラセン４を形成し、この回転によって外側の選別網筒６との間に形成の揚穀室２３内を穀粒を揚穀しながら穀粒を選別する。又、選別網筒６は、底部の適宜高さ位置の間には網目を形成しないで単なる筒状面の揚穀筒部６ａを形成する。この揚穀筒部６ａの上側に小米を選別する目合の比較的小さい小米選別筒部６ｂを形成し、更にこの上部に玄米を選別する目合いの比較的大きい玄米選別筒部６ｃを形成する。この玄米選別筒部６ｃの上側には開口部３６を形成する排出筒部６ｄとして、前記上端口９に開口連通して、揚穀ラセン４の回転によって揚穀され、小米選別筒部６ｂや玄米選別筒部６ｃで選別されなかった籾を戻し漏斗１０へ掻出案内するものである。
【００２７】
選別部８の底部には、揚穀ラセン４を有する揚穀胴５の揚穀軸３５を電動回転するモータＭ２を設ける。又、選別網筒６の外周面と外筒７の内周面との間には、前記最下段の揚穀筒部６ａの下端部に仕切板３７ａを設け、前記小米選別筒部６ｂの下端部に仕切板３７ｂを設け、玄米選別筒部６ｃの下端部に仕切板３７ｃを設け、又、最上位の籾排出筒部６ｄの下端には仕切板３７ａを形成して、揚穀室２３や、小米選別室３８、玄米選別室３９、籾選別室４０の各底部を構成し、掻出羽根４１、４２の回転等により小米排出口４３や、玄米排出口４４、上端口９等へ各々排出することができる。又、前記各掻出羽根４１、４２を設ける形態では、これら掻出羽根４１、４２を有する小米選別筒部６ｂや排出筒部６ｄ等を回転駆動する形態とすることができる。
【００２８】
風選室２の流下板２１の下端部の流下口２２を、選別部８下部の揚穀室２３に臨ませる。
脱ぷ装置１で脱ぷされた穀粒（摺出米）が風選室２で籾殻が風選されて、流下口２２から揚穀室２３へ流入されると、揚穀ラセン４の回転によって、選別網筒６の揚穀筒部６ａ内側の揚穀室２３部を揚穀される。この揚穀によって上側の小米選別筒部６ｂへ揚穀されると、外周の小米選別筒部６ｂの目合から外周の小米選別室３８へ屑米等の小米が漏出選別され、この小米を小米排出口４３へ取出することができる。又、小米選別筒部６ｂ内を揚穀されて上部の玄米選別筒部６ｃ内を揚穀される玄米は、この目合から玄米が外周の玄米選別室３９へ漏出選別されて、玄米排出口４４へ排出される。又、玄米選別筒６ｃ内を揚穀されて籾排出筒部６ｄへ至った籾は、開口部３６から上端口９を経て、籾選別室４０から戻し漏斗１０へ排出される。
【００２９】
戻し漏斗１０の底面に玄米を漏下選別するための目合の選別網１４を設ける形態にあっては、この戻し籾に混入する玄米や屑米が、この選別網１４から直接下側の風選室２へ漏下されて選別部８で再選別されることとなり、脱ぷ装置１での無要な再脱ぷによる肌ずれを防止することができる。
【００３０】
選別部８の玄米排出口４４には、玄米ホッパ４５を設けて、選別して取出された仕上玄米を収容し、下端部のホッパ口４６から排出弁４７を開くことによって、計量台１１上に支持する玄米袋Ｆに供給して計量することができる。この玄米袋Ｆは一定量（例えば、３０ｋｇ）毎に袋詰処理することができる。計量台１１は風選装置３を搭載する籾摺基台４８上に、選別部８と共に搭載して、不使用時は、籾摺基台４８に対して折畳収納したり、押込収納可能の形態とすることができる。
【００３１】
本実施の形態の籾摺機の配置形態では、作業者が脱ぷ装置１や、籾漏斗１５、戻し漏斗１０、及び選別部８などに最短の作業位置にあって、これら各部の監視や操作を行い易くし、玄米の袋詰計量操作を一人作業で容易に行うことができるものである。
【００３２】
又、このような籾摺作業を行うために、コントローラ５１の入力側に各部運転スイッチ５２や、計量台１１の計量センサ（ロードセル）５３等を設け、出力側には、投穀ロータ２７ヤ吸引排塵ファン３３を駆動するモータＭ１や、揚穀ラセン４の揚穀胴５を駆動するモータＭ２、及び籾供給シャッタ３２等の調節によって決められる作業能率や、玄米袋詰計量の重量等を表示する表示部５４を配置している。そして、計量台１１と籾供給シャッタ３２を連動する形態では、例えば、計量台１１における玄米の袋詰め速度に適合する脱ぷ速度、乃至脱ぷ能率となるように自動調節制御するものである。このほか、計量台１１上の玄米袋Ｆが満量になって、一定時間を経ても袋替えが行われないときには、供給シャッタ３２を一旦閉鎖するように連動構成することもできる。
【００３３】
風選室２と選別部８を仕切る側壁部に吸気口１２を形成して、風選室２の吸引風圧を選別部８内に働かせる形態では、小米風選室３８の塵埃が吸気口１２から風選室２内へ吸引排除されことができる。
【符号の説明】
【００３４】
１  脱ぷ装置
２  風選室
３  風選装置
４  揚穀ラセン
５  揚穀胴
６  選別網筒
７  外筒
８  選別部
９  上端口
１０  戻し漏斗
１１  計量台
１２  吸気口
１３  送風ファン
１４  選別網
１５  籾漏斗
２１  流穀板
２７  投穀ロータ
２９  衝撃盤
３２  供給シャッタ
３３  吸引排塵フアン
４８  籾摺基台
【図１】
0005668487.tif 000002
【図２】
0005668487.tif 000003
【図３】
0005668487.tif 000004
【図４】
0005668487.tif 000005
【図５】
0005668487.tif 000006
【図６】
0005668487.tif 000007